(57)【要約】【課題】ホルダーの周枠体に注視効果を高める手段を講じることにより、ポスター自体の公告・宣伝機能を十分に発揮させることができるポスターホルダーを提供する。【解決手段】周枠体１と、周枠体１内の表面側に設けられる透明な表面板２と、表面板２の裏側に着脱自在に配置されるポスター３をの裏側から支持する台板４とからなるポスターホルダーにおいて、周枠体１を中空状に形成し、周枠体１の少なくとも表面部側を半透明状又は乱反射性状とし、周枠体１の中空部９内にＬＥＤ等の発光部材１１を周方向に所要間隔おきに多数配設して電源部１２に接続すると共に、発光部材１１を点滅発光させたり順送り発光させるなど発光に変化をもたせて注視効果を高めるように制御する制御部１３及び制御モードを切り換えるモード切換部１４を周枠体１の所要部に設ける。【選択図】図３
0003121121.tif 000002
【実用新案登録請求の範囲】
【請求項１】
周枠体と、この周枠体内の表面側に設けられる透明な表面板と、この表面板の裏側に着脱自在に配置されるポスターをその裏側から支持するように設けられる台板とからなるポスターホルダーにおいて、
周枠体を中空状に形成すると共に、周枠体の少なくとも表面部側を半透明状又は乱反射性状とし、この周枠体の中空部内にＬＥＤ等の発光部材を周方向に所要間隔おきに多数配設して電源部に接続すると共に、発光部材を点滅発光させたり順送り発光させるなど発光に変化をもたせて注視効果を高めるように制御する制御部及び制御モードを切り換えるモード切換部を周枠体の所要部に設けてなるポスターホルダー。
【請求項２】
前記電源部は、周枠体の中空部内に設けられる充電池からなる請求項１に記載のポスターホルダー。
【請求項３】
前記電源部は、接続コード及びコンセントを介して接続される外部電源からなる請求項１に記載のポスターホルダー。
【考案の詳細な説明】
【技術分野】
【０００１】
本考案は、公告、宣伝等のための各種ポスターを保持するためのポスターホルダーに関するものである。
【背景技術】
【０００２】
従来のポスターホルダーとして特許公報等の公知文献を具体的に挙げることはできないが、従来この種のポスターホルダーは、矩形枠状の周枠体と、この周枠体内の表面側に設けられる透明な表面板と、この表面板の裏側に着脱自在に配置されるポスターをその裏側から支持するように設けられる台板とからなるもので、店舗の内外にポスタースタンド等を用いて立て掛けて使用されるようになっている。
【考案の開示】
【考案が解決しようとする課題】
【０００３】
従来のポスターホルダーは、一見目立つ場所にされているにもかかわらず、注視効果が低く、ポスター自体の公告・宣伝機能を十分発揮させることができなかった。
【０００４】
本考案は、上記の課題に鑑み、ホルダーの周枠体に注視効果を高める手段を講じることによって、ポスター自体の公告・宣伝機能を十分に発揮させることができるようにしたポスターホルダーを提供することを目的とする。
【課題を解決するための手段】
【０００５】
上記課題を解決するための手段を、後述する実施形態の参照符号を付して説明すると、請求項１に係る考案は、周枠体１と、この周枠体１内の表面側に設けられる透明な表面板２と、この表面板２の裏側に着脱自在に配置されるポスター３をその裏側から支持するように設けられる台板４とからなるポスターホルダーにおいて、周枠体１を中空状に形成すると共に、周枠体１の少なくとも表面部側を半透明状又は乱反射性状とし、この周枠体１の中空部９内にＬＥＤ等の発光部材１１を周方向に所要間隔おきに多数配設して電源部１２に接続すると共に、発光部材１１を点滅発光させたり順送り発光させるなど発光に変化をもたせて注視効果を高めるように制御する制御部１３及び制御モードを切り換えるモード切換部１４を周枠体１の所要部に設けてなることを特徴とする。
【０００６】
この考案において、周枠体１の少なくとも表面部側を半透明状にするには、その表面部側を乳白色に着色されたような半透明樹脂で形成すればよいし、また表面部側を乱反射性状にするには、その表面部側に小さな多数の菱形からなるダイヤカット加工を施したり、またその表面部側に多数の条痕を入れるなどして、透過する光が乱反射する状態とすればよい。また、発光部材１１としては、ＬＥＤ（発光ダイオード）の他に、電球等を使用してもよい。
【０００７】
請求項２は、請求項１に記載のポスターホルダーにおいて、前記電源部１２は、周枠体１の中空部８内に設けられる充電池１６からなることを特徴とする。
【０００８】
請求項３は、請求項１に記載のポスターホルダーにおいて、前記電源部１２は、接続コード及びコンセントを介して接続される外部電源からなることを特徴とする。
【考案の効果】
【０００９】
上記解決手段による考案の効果を、後述する実施形態の参照符号を付して説明すると、請求項１に係る考案のポスターホルダーによれば、周枠体１を中空状に形成すると共に、周枠体１の少なくとも表面部側を半透明状又は乱反射性状として、周枠体１の中空部９内に発光部材１１を周方向に所要間隔おきに多数配設して電源部１２に接続すると共に、発光部材１１を点滅発光させたり順送り発光させるなど発光に変化をつけて注視効果を高めるように制御する制御部１３及び制御モードを切り換えるモード切換部１４を設けているから、ポスターホルダーの周枠体１に対する注視効果を高めることができて、ポスター自体の公告・宣伝機能を十分に発揮させることができる。
【００１０】
また、周枠体１の少なくとも表面部側を半透明状又は乱反射性状としていることから、周枠体１内に配設されている各発光部材１１の輪郭線等が外部から見えなくなると共に、多数の発光部材１１から発せられる夫々の光が点灯状態とならず、それらの光が互いに融合してぼやけた状態に見えるようになり、これによって周枠体１の表面部全体を体裁良く照明できると共に、注視効果をより高めることができる。
【００１１】
請求項２に係る考案のポスターホルダーによれば、電源部１２が、周枠体１の中空部８内に設けられる充電池１６からなるため、コンセントの無い場所でも使用可能となる。
【００１２】
請求項３に係る考案のポスターホルダーによれば、電源部１２が、接続コード及びコンセントを介して接続される外部電源からなるため、充電池１６のように充電を行う必要がなく、長時間の連続使用が可能となる。
【考案を実施するための最良の形態】
【００１３】
以下に本考案の好適実施形態を図面に基づいて説明すると、図１の(a) は本考案に係るポスターホルダーの正面図、(b) は側面図であり、図２は同ポスターホルダーの背面図、図３の(a) は図１の(a) のＸ−Ｘ線拡大断面図、(b) は図１の(a) のＹ−Ｙ線拡大断面図、(c) は図１の(a) のＺ−Ｚ線拡大断面図である。
【００１４】
これらの図において、１は周枠体、２は周枠体１内の表面側に設けられる表面板、３は表面板２の裏側に着脱自在に配置されるポスター、４は表面板２の裏側に着脱自在に配置されたポスター３をその裏側から支持するように設けられる台板、そして５は周枠体１の裏側から台板４を介してポスター３を表面板２に押し付けるように周枠体１に着脱自在に取り付けられる裏カバーである。
【００１５】
周枠体１は、上下枠体部１ａ，１ｂと左右枠体部１ｃ，１ｃとによって矩形状に枠組みされたもので、各枠体部１ａ，１ｂ，１ｃは、図３の(a) 〜(c) に示すように、互いに係嵌された第１枠６と第２枠７とからなる。第１枠６は、内側片６ａ、表側片６ｂ及び裏側片６ｃによって断面略コ字状に形成され、第２枠７は、断面略コ字状第１枠６の開口部をその外周側から閉じて裏側中空部８を形成すると共に、第１枠６の表側片６ｂを山形状に覆ってその間に表側中空部９を形成するような断面形状に形成されたもので、外周側壁部７ａと表面側壁部７ｂと裏側壁部７ｃと内周側係止壁部７ｄとから構成される。尚、図３の(a) に示すように、第１枠６と第２枠７とが係嵌する時、第１枠６の内周側突片部ａに第２枠７の内周側係止壁部７ｄが係合すると共に、第１枠６側の係合段部ｂに第２枠７側の係合段部ｃが係合するようになっている。
【００１６】
周枠体１を形成する各枠体部１ａ，１ｂ，１ｃの第１枠６は例えばアルミ押出型材からなり、第２枠７は例えば乳白色の半透明樹脂材からなる。第１枠６及び第２枠７は、図４の(a) に示すように夫々の端部が仮想線図示の状態から４５°の斜にカットされていて、同図(b) に示す状態に互いに係嵌されることにより、枠体部１ａ，１ｂ，１ｃを形成し、しかして上下左右４辺の枠体部１ａ，１ｂ，１ｃ，１ｃの端部どうしが図４の(b) に示すような直角連結金具１０を介して矩形枠状に連結されることにより、図１及び図２に示すような周枠体１を形成するようになっている。尚、各枠体部１ａ，１ｂ，１ｃの第１枠６と第２枠７とを共に乳白色の半透明樹脂材によって形成してもよい。
【００１７】
この周枠体１の中空部内には、ＬＥＤ（発光ダイオード）からなる発光部材１１が周方向に所要間隔おきに多数配設されて、電源部１２に接続配線されると共に、これらの発光部材１１を点滅発光させたり順送り発光させるなど発光に変化をもたせて注視効果を高めるように制御するための制御部１３、及び制御モードを切り換えるためのモード切換部１４が配設されている。
【００１８】
即ち、ＬＥＤからなる発光部材１１は、周枠体１を形成する各枠体部１ａ，１ｂ，１ｃの第１枠６に所定ピッチで設けれらた取付孔２０に取り付けられて、各枠体部１ａ，１ｂ，１ｃの表側中空部９に突出するように配設されている。この場合、発光部材１１は、発光色の種々異なるものを適当な配列で設けるとよい。また、電源部１２、制御部１３及びモード切換部１４は、図１〜図３に示すように、下枠体部１ｂの第１枠６に形成される裏側中空部８内に配備されている。
【００１９】
表面板２は比較的薄い透明な樹脂板からなり、また台板４には例えば合板が使用され、また裏カバー５としては例えば不透明な樹脂板が使用される。これら表面板２、台板４及び裏カバー５は、ポスター３と共に、周枠体１に対し夫々着脱自在であって、取付けにあたって、表面板２は、図３から分かるように、その周縁部を、各枠体部１ａ，１ｂ，１ｃの第２枠７に設けてある内周側係止壁部７ｄの内側面に係止させるように取り付け、この表面板２の裏側にポスター３を配置した後、台板４を嵌め込んで、この台板４の裏側に裏カバー５を当て付け、そして裏カバー５は第１枠６の裏側片６ｃにビス１８で固定する。尚、裏カバー５には所定位置にビス挿通孔を、また第１枠６の裏側片６ｃには所定位置にネジ孔を設けておく。
【００２０】
図５は、周枠体１の中空部に配設される発光部材１１、電源部１２、制御部１３及びモード切換部１４のフローチャートを示すもので、図中の１５は、制御部１３からの信号をそれに対応する発光部材１１の発光動作に変換するための駆動部を示す。また、ここに例示している電源部１２は周枠体１の中空部８内に設けられる充電池１６からなるもので、電気コードが不要で、コンセントの無い場所でも使用可能となる。また、この充電池１６は、外部コンセントに接続される充電器１７によって、発光部材１１の使用中に充電することができるし、その使用を停止させたまま充電することができる。
【００２１】
制御部１３は、発光部材１１を点滅発光させる点滅モード、発光部材１１を一方向又は逆方向に順送り回転させる順送りモード、あるいは発光部材１１を左右対称に順送りする順送りモード等々の、発光部材１１の発光に変化をもたせて注視効果を高めるように制御する種々の制御モードを有するものとする。このような制御モードを切り換えるモード切換部１４としては、ディップスイッチ等を使用することによって、簡単にモードの切り換えを行なうことかできる。
【００２２】
上記のように構成されるポスターホルダーの使用において、いまモード切換部１４を点滅モードに設定すると、図１に示すように周枠体１内に配設されている発光部材１１…が点滅することになり、そしてモード切換部１４を操作して一方向の順送りモードに切り換えると、周枠体１内の発光部材１１…が一方向に順送り発光することになる。しかして、このような制御部１３によって発光部材１１の発光に変化をもたせるようにすることで、ポスター３の注視効果が高くなり、ポスター３自体の公告・宣伝機能を十分に発揮させることができる。
【００２３】
また、このポスターホルダーでは、周枠体１の表面部側を形成する第２枠７が乳白色の樹脂材からなる半透明体であるため、周枠体１内に配設されている各発光部材１１の輪郭線等が外部から見えなくなると共に、多数の発光部材１１から発せられる夫々の光が点灯状態とならず、それらの光が互いに融合してぼやけた状態に見えるようになり、これによって周枠体１の表面部全体を体裁良く照明できると共に、注視効果をより高めることができる。
【００２４】
上記周枠体１内への発光部材１１、電源部１２、制御部１３及びモード切換部１４の取付けにあたっては、周枠体１の各枠体部１ａ，１ｂ，１ｃを構成する第１枠６と第２枠７とを図４の(a) に示すように切り離した状態で、断面コ字状の第１枠６に設けてある取付孔２０にＬＥＤからなる発光部材１１を取り付け、このコ字状第１枠６の開口部側から発光部材１１相互をつなぐ接続配線を行い、また下枠体部１ｂの第１枠６内に電源部１２、制御部１３及びモード切換部１４を挿入配備し、この第１枠６に第２枠７を係嵌して各枠体部１ａ，１ｂ，１ｃを形成する。こうして各枠体部１ａ，１ｂ，１ｃを形成した後、各枠体部１ａ，１ｂ，１ｃの端部どうしを直角連結金具１０を介してビス２１により連結することによって、矩形状の周枠体１を形成する。
【００２５】
上述した実施形態では、周枠体１の表面部側を形成する第２枠７を乳白色の樹脂材によって形成しているが、この第２枠７を透明な樹脂材によって形成すると共に、この第２枠７の内周面にダイヤカット加工等を施して、その内周面を乱反射性状にすることにより、乳白色による半透明性と同様な作用効果を発揮させることができる。
【００２６】
また上記実施形態では、電源部１２をコードレスの充電池１６からなるものとしたが、接続コード、コンセントを介して接続されて、外部より電気の供給を受けるものとしてもよ、そうした場合は、充電池１６のように充電を行う必要がなく、長時間の連続使用が可能となる。
【００２７】
また、上記実施形態では、周枠体１を、上下枠体部１ａ，１ｂと左右枠体部１ｃ，１ｃとによって形成すると共に、各枠体部１ａ，１ｂ，１ｃを互いに係嵌可能な第１枠６と第２枠７とにより形成しているが、この周枠体１の構造は一例であって、周枠体１が中空状に形成されていて、周枠体１の少なくとも表面部側が半透明状又は乱反射性状であれば、どのような構造でもよい。また実施形態では、周枠体１を矩形枠状に形成しているが、周枠体１の形状は円形、楕円形、多角形等々の何れでも良い。
【図面の簡単な説明】
【００２８】
【図１】(a) は本考案に係るポスターホルダーの正面図、(b) は側面図である。
【図２】同ポスターホルダーの背面図である。
【図３】(a) は図１の(a) のＸ−Ｘ線拡大断面図、(b) は図１の(a) のＹ−Ｙ線拡大断面図、(c) は図１の(a) のＺ−Ｚ線拡大断面図である。
【図４】(a) は周枠体を形成する各枠体部の第１枠と第２枠とを切り離した状態の斜視図、(b) は第１枠と第２枠とを互いに係嵌した状態の斜視図である。
【図５】周枠体の中空部に配設される発光部材、電源部、制御部及びモード切換部の  フローチャートである。
【符号の説明】
【００２９】
１          周枠体
２          表面板
３          ポスター
４          台板
５          裏カバー
１１        発光部材
１２        電源部
１３        制御部
１４        モード切換部
【図１】
0003121121.tif 000003
【図２】
0003121121.tif 000004
【図３】
0003121121.tif 000005
【図４】
0003121121.tif 000006
【図５】
0003121121.tif 000007